(57)【要約】【課題】温度管理が必要な保冷庫や蓄熱庫などの冷熱庫である運搬箱を簡易な構成にするとともに各運搬箱の温度履歴情報を容易に得ること。【解決手段】冷熱機４０から冷熱媒体接続部Ｃ２を介して流入する冷熱媒体によって蓄冷熱材２２を畜冷熱し、保冷熱空間２３を所望温度範囲に保持する開閉可能な運搬部２０と、運搬箱識別情報１４を保持するとともに、温度センサ２５からの温度履歴を含む運搬箱履歴情報１５を取得して保持する情報管理部１０と、を有した運搬箱１と、運搬箱１が運搬されるルート上の所定領域に配置され、複数の運搬箱１の各通信接続部Ｃ１を介して通信接続された各運搬箱１に対して固有の通信アドレスを割り当てて各運搬箱１との間の通信を確立し、各運搬箱１の運搬箱識別情報１４と運搬箱履歴情報１５とを取得し、上位情報管理装置に出力する情報収集装置３０と、を備える。【選択図】図２
2015151200.tif 000002
【特許請求の範囲】
【請求項１】
外部の冷熱機から冷熱媒体接続部を介して流入する冷熱媒体によって蓄冷熱材を畜冷熱し、この蓄冷熱材によって保冷熱対象物が収容される保冷熱空間を所望温度範囲に保持する開閉可能な運搬部と、
前記運搬部に取り付けられ、運搬箱識別情報を保持するとともに、前記保冷熱空間の温度を検出する温度センサからの温度履歴を含む運搬箱履歴情報を取得して保持する情報管理部と、
を有した運搬箱と、
前記運搬箱が運搬されるルート上の所定領域に配置され、複数の前記運搬箱の各通信接続部を介して通信接続された各運搬箱に対して固有の通信アドレスを割り当てて各運搬箱との間の通信を確立し、各運搬箱の前記運搬箱識別情報と前記運搬箱履歴情報とを取得し、上位の情報管理装置に出力する情報収集装置と、
を備えたことを特徴とする運搬箱履歴情報収集システム。
【請求項２】
前記固有の通信アドレスは、前記通信接続部に接続される前記情報収集装置側の通信接続部に固有の通信アドレスであることを特徴とする請求項１に記載の運搬箱履歴情報収集システム。
【請求項３】
前記所定領域に配置され、複数の前記運搬箱の各冷熱媒体接続部を介して各運搬箱に前記冷熱媒体を流入して各蓄冷熱材を畜冷熱する冷熱機を備え、
前記情報管理部は、前記通信接続部に前記情報収集装置が接続されて通信が確立し、かつ、前記冷熱媒体接続部に前記冷熱機が接続された場合に、前記運搬箱側の前記冷熱媒体接続部に設けられた弁を開く制御を行うことを特徴とする請求項１または２に記載の運搬箱履歴情報収集システム。
【請求項４】
前記情報収集装置は、前記運搬箱識別情報に基づき、接続された運搬箱の所望温度に対する冷熱機の容量が異なる場合に、前記情報管理部に対して、該運搬箱側の前記冷熱媒体接続部に設けられた弁を閉じさせる制御を行うことを特徴とする請求項３に記載の運搬箱履歴情報収集システム。
【請求項５】
前記情報管理部は、前記保冷熱空間の温度が所定時間、所望温度を維持した場合に、運搬箱が使用可能状態である旨を表示部に表示することを特徴とする請求項３または４に記載の運搬箱履歴情報収集システム。
【請求項６】
前記冷熱媒体接続部と前記通信接続部とは、同一箇所に設けられることを特徴とする請求項３〜５のいずれか一つに記載の運搬箱履歴情報収集システム。
【請求項７】
前記冷熱機は同一の所定領域に複数設けられ、
各冷熱機の冷熱コントローラは、接続された各運搬箱に対して前記情報収集装置の下位装置として機能し、各運搬箱の前記運搬箱識別情報と前記運搬箱履歴情報とを取得して前記情報収集装置に送信することを特徴とする請求項３〜６のいずれか一つに記載の運搬箱履歴情報収集システム。
【請求項８】
前記運搬箱は、配送センターから商品を収容して配送先に運搬され、配送先で商品を取り出した後、同一または他の配送センターに運搬されるものであり、
前記情報収集装置および前記冷熱機は、前記配送センターに設けられることを特徴とする請求項３〜７のいずれか一つに記載の運搬箱履歴情報収集システム。
【請求項９】
前記情報収集装置は、さらに前記配送先に設けられることを特徴とする請求項８に記載の運搬箱履歴情報収集システム。
【発明の詳細な説明】
【技術分野】
【０００１】
この発明は、温度管理が必要な保冷庫や蓄熱庫などの冷熱庫である運搬箱を簡易な構成にするとともに各運搬箱の温度履歴情報を容易に得ることができる運搬箱履歴情報収集システムに関する。
【背景技術】
【０００２】
従来、生鮮食品や医薬品など、冷蔵や冷凍が必要な物品の運搬には温度履歴管理が可能な保冷庫が用いられていた。例えば、特許文献１に記載された保冷庫では、配送中の保冷能力を確保するために、蓄冷剤の予冷を行う圧縮機などが搭載される。そして、この保冷庫では、無線通信装置が搭載され、取得した温度履歴情報などを無線送信出力するようにしている。
【先行技術文献】
【特許文献】
【０００３】
【特許文献１】特開２００３−３２２４５９号公報
【発明の概要】
【発明が解決しようとする課題】
【０００４】
しかしながら、従来の保冷庫では、蓄冷剤のほかに、重量が大きい圧縮機や、大きな電力を費やす無線通信装置や、この電力を補う大きな容量のバッテリーを搭載しなければならなかった。したがって、保冷庫を用いた物流サイクルの情報管理システムでは、多数の保冷庫が用いられるにもかかわらず、保冷庫自体の重量が大きくなり、かつ複雑になってシステム全体にかかるコストが大きくならざるを得なかった。
【０００５】
この発明は、上記に鑑みてなされたものであって、温度管理が必要な保冷庫や蓄熱庫などの冷熱庫である運搬箱を簡易な構成にするとともに各運搬箱の温度履歴情報を容易に得ることができる運搬箱履歴情報収集システムを提供することを目的とする。
【課題を解決するための手段】
【０００６】
上述した課題を解決し、目的を達成するために、この発明にかかる運搬箱履歴情報収集システムは、外部の冷熱機から冷熱媒体接続部を介して流入する冷熱媒体によって蓄冷熱材を畜冷熱し、この蓄冷熱材によって保冷熱対象物が収容される保冷熱空間を所望温度範囲に保持する開閉可能な運搬部と、前記運搬部に取り付けられ、運搬箱識別情報を保持するとともに、前記保冷熱空間の温度を検出する温度センサからの温度履歴を含む運搬箱履歴情報を取得して保持する情報管理部と、を有した運搬箱と、前記運搬箱が運搬されるルート上の所定領域に配置され、複数の前記運搬箱の各通信接続部を介して通信接続された各運搬箱に対して固有の通信アドレスを割り当てて各運搬箱との間の通信を確立し、各運搬箱の前記運搬箱識別情報と前記運搬箱履歴情報とを取得し、上位の情報管理装置に出力する情報収集装置と、を備えたことを特徴とする。
【０００７】
また、この発明にかかる運搬箱履歴情報収集システムは、上記の発明において、前記固有の通信アドレスは、前記通信接続部に接続される前記情報収集装置側の通信接続部に固有の通信アドレスであることを特徴とする。
【０００８】
また、この発明にかかる運搬箱履歴情報収集システムは、上記の発明において、前記所定領域に配置され、複数の前記運搬箱の各冷熱媒体接続部を介して各運搬箱に前記冷熱媒体を流入して各蓄冷熱材を畜冷熱する冷熱機を備え、前記情報管理部は、前記通信接続部に前記情報収集装置が接続されて通信が確立し、かつ、前記冷熱媒体接続部に前記冷熱機が接続された場合に、前記運搬箱側の前記冷熱媒体接続部に設けられた弁を開く制御を行うことを特徴とする。
【０００９】
また、この発明にかかる運搬箱履歴情報収集システムは、上記の発明において、前記情報収集装置は、前記運搬箱識別情報に基づき、接続された運搬箱の所望温度に対する冷熱機の容量が異なる場合に、前記情報管理部に対して、該運搬箱側の前記冷熱媒体接続部に設けられた弁を閉じさせる制御を行うことを特徴とする。
【００１０】
また、この発明にかかる運搬箱履歴情報収集システムは、上記の発明において、前記情報管理部は、前記保冷熱空間の温度が所定時間、所望温度を維持した場合に、運搬箱が使用可能状態である旨を表示部に表示することを特徴とする。
【００１１】
また、この発明にかかる運搬箱履歴情報収集システムは、上記の発明において、前記冷熱媒体接続部と前記通信接続部とは、同一箇所に設けられることを特徴とする。
【００１２】
また、この発明にかかる運搬箱履歴情報収集システムは、上記の発明において、前記冷熱機は同一の所定領域に複数設けられ、各冷熱機の冷熱コントローラは、接続された各運搬箱に対して前記情報収集装置の下位装置として機能し、各運搬箱の前記運搬箱識別情報と前記運搬箱履歴情報とを取得して前記情報収集装置に送信することを特徴とする。
【００１３】
また、この発明にかかる運搬箱履歴情報収集システムは、上記の発明において、前記運搬箱は、配送センターから商品を収容して配送先に運搬され、配送先で商品を取り出した後、同一または他の配送センターに運搬されるものであり、前記情報収集装置および前記冷熱機は、前記配送センターに設けられることを特徴とする。
【００１４】
また、この発明にかかる運搬箱履歴情報収集システムは、上記の発明において、前記情報収集装置は、さらに前記配送先に設けられることを特徴とする。
【発明の効果】
【００１５】
この発明によれば、情報収集装置が、運搬箱が運搬されるルート上の所定領域に配置され、複数の運搬箱の各通信接続部を介して通信接続された各運搬箱に対して固有の通信アドレスを割り当てて各運搬箱との間の通信を確立し、各運搬箱の運搬箱識別情報と運搬箱履歴情報とを取得し、上位の情報管理装置に出力するようにしているので、温度管理が必要な保冷庫や蓄熱庫などの冷熱庫である運搬箱を簡易な構成にできるとともに各運搬箱の温度履歴情報を容易に得ることができる。
【図面の簡単な説明】
【００１６】
【図１】図１は、この発明の実施の形態である運搬箱履歴情報収集システムを用いた物流サイクルの概要を示す模式図である。
【図２】図２は、運搬箱、情報収集装置、冷熱機の構成を示すブロック図である。
【図３】図３は、断熱箱体の断面構造を示す断面図である。
【図４】図４は、運搬箱の接続形態を示すブロック図である。
【図５】図５は、情報収集装置の通信処理手順を示すフローチャートである。
【図６】図６は、通信線側の通信接続部に設けられた構成による固有の通信アドレスの割当を説明する説明図である。
【図７】図７は、情報管理部による冷熱器弁に対する弁制御処理手順を示すフローチャートである。
【図８】図８は、通信接続部と冷熱媒体接続部とを合体させた構成を示す模式図である。
【発明を実施するための形態】
【００１７】
以下、添付図面を参照してこの発明を実施するための形態について説明する。
【００１８】
（物流サイクルの概要）
図１は、この発明の実施の形態である運搬箱履歴情報収集システムを用いた物流サイクルの概要を示す模式図である。図１に示すように、商品１０１が納入される複数の配送センター１１０と商品を陳列する店舗１２０との間で、再利用される複数の運搬箱１内に商品１０１が収納されてトラック１１１によって店舗１２０に配送され、空になった運搬箱１がトラック１１２によって配送センター１１０に返送される。なお、店舗１２０で空になった運搬箱１は他の配送センター１１０に返送されてもよい。
【００１９】
まず、配送センター１１０では、配送元から商品１０１が納入される。配送センター１１０では、その商品１０１を荷受けし、店舗別の仕分けを行う。仕分けされた商品１０１は、配送先の店舗１２０に送られる運搬箱１内に収納される。運搬箱１内は、商品１０１が収納される保冷熱空間が空であって冷熱材によって所望温度に保持されている。トラック１１１は、商品１０１が収納された運搬箱１を積み込んで、配送先の店舗１２０に配送する。配送先の店舗１２０では、運搬箱１をトラック１１１から降ろし、運搬箱１内の商品１０１を取り出す。取り出された商品１０１は、ショーケースなどに陳列される。空になった運搬箱１は、店舗１２０内に一時保留される。配送したトラック１１１は、トラック１１２として前回、一時保留されていた運搬箱１を積載して運搬箱１を配送センター１１０に返送する。
【００２０】
ここで、店舗１２０には、情報収集装置３０が配置される。商品が取り出されて空になった運搬箱１は、情報収集装置３０に通信接続される。情報収集装置３０は、運搬箱１が配送時に取得した温度履歴などの運搬箱履歴情報を運搬箱識別情報とともにネットワークＮを介して上位情報管理装置１３０に送出する。
【００２１】
一方、配送センター１１０には、情報収集装置３０と冷熱機４０とが配置される。トラック１１２によって返送された空の運搬箱１は、トラック１１２から降ろされると、情報収集装置３０および冷熱機４０に接続される。情報収集装置３０は、商品１０１が収納されてから現在までの温度履歴を含む運搬箱履歴情報を運搬箱識別情報とともにネットワークＮを介して上位情報管理装置１３０に送出する。冷熱機４０は、接続された運搬箱内に冷熱媒体を流入して蓄冷熱材を蓄冷熱し、保冷熱空間を所望温度にする。この所望温度に設定された空の運搬箱１は、再び商品１０１の配送のための運搬箱１として再利用される。
【００２２】
ネットワークＮに接続された上位情報管理装置１３０は、配送センター１１０や店舗１２０の情報収集装置３０から送られた運搬箱履歴情報および運搬箱識別情報を用いて、運搬された商品の温度管理状態などを分析する。
【００２３】
（運搬箱）
図２は、運搬箱１、情報収集装置３０、冷熱機４０の構成を示すブロック図である。図２に示すように、運搬箱１は、運搬部２０と、運搬部２０に取り付けられた情報管理部１０とを有する。運搬部２０は、生鮮食品や医薬品などの保冷熱対象を収納する保冷熱空間２３を形成した断熱箱体である。保冷熱空間２３の前面開口を開閉する、断熱性能を有した開閉扉２４が設けられている。開閉扉２４の開閉は、開閉センサ２７によって検出される。保冷熱空間２３内には、保冷熱空間２３内の温度を検出する温度センサ２５が複数、配置されている。また、運搬部２０の下部には、キャスター２８が設けられ、運搬箱１の移動を容易にしている。
【００２４】
断熱箱体には、冷熱器２１と蓄冷熱材２２とが配置される。冷熱器２１は、蓄冷熱材２２を冷却・凍結、あるいは蓄熱させるものである。冷熱器２１は、冷熱媒体が流通する銅管などの金属配管を蛇行形状や渦巻形状などとし、天壁や側面等の平坦な内面に密着配置したものである。冷熱器２１は、冷熱器弁２６、冷熱媒体接続部Ｃ２、および冷熱配管Ｌ２を介して冷熱機４０に接続される。
【００２５】
蓄冷熱材２２は、箱内を冷却あるいは蓄熱させるものである。蓄冷熱材２２は、例えば、ポリエチレン等の樹脂製のケース内に、水及びゲル化剤等を封入した公知のものを用いればよく、例えば、平板状に形成される。
【００２６】
図３は、断熱箱体の断面構造を示す断面図である。図３に示すように、箱外から箱内に向けて、順次、断熱材５１、真空断熱材５２、冷熱器２１、蓄冷熱材２２、金属板５３が重ねられている。断熱材５１は、例えば、発泡スチロールや発泡ウレタンによって形成される。真空断熱材５２は、例えば、芯材をラミネートフィルムによって被覆し、内部を真空状態に減圧して封止した公知のものを用いればよい。真空断熱材５２は、上記した発泡スチロール等の一般的な断熱材に比べ、極めて高い断熱性能を有する。金属板５３は、保冷熱空間２３を画成するものあり、蓄冷熱材２２に接触するように配置される。この金属板５３は、例えば、ステンレス板によって形成される。なお、図示していないが、一面が蓄冷熱材２２の外面側に密着配置され、他面が冷熱器２１の内面側に密着配置され金属板を設けることが好ましい。この金属板は、熱伝導率の良好な金属、例えば、アルミニウムや銅の板材によって形成され、冷熱器２１からの冷熱を蓄冷熱材２２へと効率よく伝達することが可能となる。
【００２７】
一方、情報管理部１０は、通信処理部１１、制御部１２、記憶部１３、バッテリー１６、および表示部１７を有する。通信処理部１１は、通信接続部Ｃ１、電源線を含む通信線Ｌ１を介して情報収集装置３０に接続される。通信接続部Ｃ１は、通信線Ｌ１が接続される通信接続部Ｃ１１が、通信接続部Ｃ１側の通信接続部Ｃ１２に接続された場合、情報収集装置３０との通信を確立させる処理を行う。また、通信接続部Ｃ１１が通信接続部Ｃ１２に接続された場合、電源線を介してバッテリー１６が充電される。なお、通信線Ｌ１は、電源線を通信線として用いてもよい。
【００２８】
制御部１２は、順次、温度センサ２５が検出した温度を時間経過とともに記録した温度履歴情報を運搬箱履歴情報１５の１つとして記憶部１３に保持する。また、制御部１２は、開閉センサ２７の開閉状態を時間経過とともに記録した開閉履歴情報を運搬箱履歴情報１５の１つとして記憶部１３に保持する。さらに、制御部１２は、後述するように、冷熱器弁２６の開閉制御を行う。
【００２９】
記憶部１３は、上述した運搬箱履歴情報１５のほかに、運搬箱識別情報１４を予め保持する。バッテリー１６は、通信接続部Ｃ１１が接続されている場合、充電されつつ、情報管理部１０の全体に対して電源供給を行う。また、バッテリー１６は、通信接続部Ｃ１１が接続されていない場合、情報管理部１０の全体に対して単独で電源供給を行う。表示部１７は、ＬＥＤや液晶などによって実現され、例えば、保冷熱空間２３内の温度が所定時間、所望温度を保持した場合に、ＬＥＤの緑色点灯などによって、使用可能である旨を表示する。また、表示部１７は、接続された冷熱配管Ｌ２が所望温度に対応するものでない場合、ＬＥＤの赤色点灯などによって、アラーム表示を行う。
【００３０】
（情報収集装置）
図２に示すように、情報収集装置３０は、通信部３１、制御部３２、および記憶部３３を有する。通信部３１は、通信線Ｌ１を介して複数の運搬箱１に接続可能である。また、通信部３１は、冷熱機４０にも接続される。なお、通信部３１は、冷熱機４０との接続を、通信線Ｌ１を介して接続するようにしてもよい。また、通信部３１は、ネットワークＮを介して上位情報管理装置１３０に接続される。
【００３１】
制御部３２は、通信部３１を介して通信線Ｌ１に接続される運搬箱１の運搬箱識別情報１４および運搬箱履歴情報１５を取得する。また、制御部３２は、冷熱機４０と運搬箱１との接続情報３５を取得する。さらに、制御部３２は、冷熱機４０の稼働情報３６を取得する。制御部３２は、取得した運搬箱識別情報１４、運搬箱履歴情報１５、情報収集装置３０の位置情報３４、接続情報３５、および稼働情報３６を上位情報管理装置１３０側に送信する。
【００３２】
（冷熱機）
図２に示すように、冷熱機４０は、冷熱コントローラ４１と冷熱回路４２とを有する。冷熱回路４２は、例えば、図示しない圧縮機、凝縮器、膨張弁等を備える公知の冷凍サイクル装置である。たとえば、冷熱媒体は、所望の温度域まで急速冷却され、この急速冷却された冷熱媒体は、冷熱配管Ｌ２を介して冷熱器２１に供給される。なお、冷熱媒体を流通させるための図示しない循環ポンプが設けられている。冷熱媒体は、水や不凍液等、いわゆるブラインと呼ばれる熱媒体である。また、冷熱コントローラ４１は、冷熱回路４２を制御するとともに、情報収集装置３０との通信制御を行う。
【００３３】
（運搬箱の接続形態）
ところで、店舗１２０には冷熱機４０が配置されていないため、図４に示すように、各運搬箱１は、通信線Ｌ１を介して情報収集装置３０に接続される。この場合、各運搬箱１の運搬箱識別情報１４と運搬箱履歴情報１５とが対となって上位情報管理装置１３０側に送信されるのみである。この店舗１２０での履歴情報収集は、運搬箱１に直前まで商品１０１が収納された状態であり、最新の運搬箱履歴情報１５を迅速に収集することができる。
【００３４】
一方、配送センター１１０では、情報収集装置３０と、複数の冷熱機４０とが配置されている。図４に示すように、複数の冷熱機４０が配置される場合、冷熱コントローラ４１を下位の情報収集装置としての機能を持たせることが好ましい。この場合、各冷熱コントローラ４１は、接続される運搬箱１の運搬箱識別情報１４と運搬箱履歴情報１５とを収集し、この収集した情報を情報収集装置３０に送信する。この際、冷熱コントローラ４１は、冷熱機４０の位置情報３４、接続情報３５、および稼働情報３６を情報収集装置３０に送信する。各冷熱機４０の冷熱容量が異なるように設定されている場合、運搬箱１は、各冷熱機４０単位で管理されているため、運搬箱１の誤接続を迅速に判定することができる。また、各冷熱機４０の冷熱容量が同じであっても、冷熱機４０の配置位置によって稼働状態が異なる場合が発生するが、各冷熱機４０単位での稼働情報３６を取得しているため、冷熱機４０の稼働状態の偏りを迅速に判定することができる。
【００３５】
（情報収集装置の通信処理）
図５は、情報収集装置３０の通信処理手順を示すフローチャートである。図５に示すように、情報収集装置３０は、通信線Ｌ１を介して運搬箱１が接続されたか否かを判断する（ステップＳ１０１）。運搬箱１が接続されていない場合（ステップＳ１０１，Ｎｏ）には、この処理を繰り返し、運搬箱１が接続されている場合（ステップＳ１０１，Ｙｅｓ）には、接続された運搬箱１に対して固有の通信アドレスを割り当てる（ステップＳ１０２）。
【００３６】
その後、この固有の通信アドレスを用いて情報収集装置３０と各運搬箱１との間の通信を確立する（ステップＳ１０３）。さらに、この固有の通信アドレスを用いて、情報収集装置３０は、各運搬箱１に保持されている運搬箱識別情報１４および運搬箱履歴情報１５を取得する（ステップＳ１０４）。その後、取得した運搬箱識別情報１４および運搬箱履歴情報１５を対にして上位情報管理装置１３０に送信出力する（ステップＳ１０５）。この際、情報収集装置３０は、情報収集装置３０の位置情報３４なども上位情報管理装置１３０に送信する。なお、上述した処理は所定時間ごとに繰り返し行う。
【００３７】
上述した固有の通信アドレスの割当は、１つの通信線Ｌ１に接続している各通信接続部Ｃ１１の固有の構成によって実現できる。例えば、図６では、３ビットの通信アドレスを生成する構成であり、通信接続部Ｃ１１側に折り返し部６０を形成しておくことによって、各通信接続部Ｃ１１に固有の通信アドレスが通信処理部１１によって検出され、その後、この固有の通信アドレスを用いて情報収集装置３０と各運搬箱１との間の通信を簡易かつ容易に確立することができる。具体的には、情報収集装置３０が時分割で各通信接続部Ｃ１に接続される運搬箱１にアクセスし、運搬箱１が接続されている場合には、通信接続部Ｃ１１によって設定された固有の通信アドレスを情報収集装置３０に通知することによって、通信が確立される。
【００３８】
なお、図４に示したように、冷熱機４０単位で各運搬箱１の情報収集を行わなくても、通信線Ｌ１に接続される通信接続部Ｃ１１に、接続される冷熱機４０を判別できる固有の通信アドレスを設定しておくことによって、各運搬箱１を冷熱機４０単位で情報収集することができる。
【００３９】
（情報管理部による冷熱器弁の開閉制御）
図７は、情報管理部１０による冷熱器弁２６に対する弁制御処理手順を示すフローチャートである。図７に示すように、まず、制御部１２は、通信処理部１１の処理状態をもとに、情報収集装置３０との間の通信が確立中であるか否かを判断する（ステップＳ２０１）。通信が確立中でない場合（ステップＳ２０１，Ｎｏ）は、ステップＳ２０１の判断処理を続行し、通信が確立中である場合（ステップＳ２０１，Ｙｅｓ）には、さらに、冷熱配管Ｌ２が接続されたか否かを判断する（ステップＳ２０２）。この判断は、冷熱媒体接続部Ｃ２に設けられた図示しない接続検出センサの検出結果をもとに判断する。冷熱媒体接続部Ｃ２は、冷熱配管Ｌ２側の冷熱媒体接続部Ｃ２１と運搬箱１側の冷熱媒体接続部Ｃ２２とからなる。冷熱配管Ｌ２が接続されていない場合（ステップＳ２０２，Ｎｏ）には、さらにステップＳ２０２の判断処理を繰り返し、冷熱配管Ｌ２が接続されている場合（ステップＳ２０２，Ｙｅｓ）には、さらに、冷熱配管Ｌ２の接続は、運搬箱１に適合したものであるか否かを判断する（ステップＳ２０３）。すなわち、冷熱機４０の冷熱容量と運搬箱１が要求する所望温度とが適合するか否かを判断する。なお、具体的な異なる所望温度とは、たとえば０℃と−１０℃である。
【００４０】
冷熱配管Ｌ２の接続が運搬箱１に適合したものである場合（ステップＳ２０３，Ｙｅｓ）、制御部１２は、冷熱器弁２６を開にする制御を行う（ステップＳ２０４）。その後、温度センサ２５の検出結果をもとに、保冷熱空間２３の温度が所定時間、所望温度を維持しているか否かを判断する（ステップＳ２０５）。保冷熱空間２３の温度が所定時間、所望温度を維持していない場合（ステップＳ２０５，Ｎｏ）には、ステップＳ２０５の判断処理を繰り返し、保冷熱空間２３の温度が所定時間、所望温度を維持している場合（ステップＳ２０５，Ｙｅｓ）には、再利用が可能であることを示す使用可能表示を表示部１７に表示する（ステップＳ２０６）。その後、情報収集装置３０との通信断、または冷熱配管Ｌ２が断であるか否かを判断する（ステップＳ２０７）。情報収集装置３０との通信断、または冷熱配管Ｌ２が断である場合（ステップＳ２０７，Ｙｅｓ）には、その後、制御部１２は、冷熱器弁２６を閉じる制御を行って（ステップＳ２０８）、本処理を終了する。
【００４１】
一方、冷熱配管Ｌ２の接続が運搬箱１に適合したものでない場合（ステップＳ２０３，Ｎｏ）、制御部１２は、冷熱器弁２６を閉にする制御を行う（ステップＳ２０９）。その後、制御部１２は、冷熱機４０と運搬箱１との接続が不適合であることを示すアラーム表示を表示部１７に表示し（ステップＳ２１０）、本処理を終了する。なお、上述した処理は所定時間ごとに繰り返し行う。
【００４２】
なお、上述した弁制御は、制御部１２が行うようにしていたが、これに限らず、冷熱コントローラ４１が各制御部１２からの情報を得て制御するようにしてもよい。
【００４３】
（通信接続部と冷熱媒体接続部）
上述した通信接続部Ｃ１は、情報管理部１０側に設けられ、冷熱媒体接続部Ｃ２は、運搬部２０側に設けられていた。ここでは、図８に示すように、通信接続部Ｃ１および冷熱媒体接続部Ｃ２とを運搬部２０の同一箇所に設けるとともに、通信接続部Ｃ１および冷熱媒体接続部Ｃ２とを合体させた１つの接続部Ｃ３としている。この場合、通信線Ｌ１と冷熱配管Ｌ２とは束ねた状態とすることが好ましい。この接続部Ｃ３を用いることによって、運搬箱１からの情報収集と運搬箱１に対する冷熱処理とを同時に行うことができる。なお、通信接続部Ｃ１と冷熱媒体接続部Ｃ２とが別体であっても、同一箇所に設けることによって、ほぼ同時に、運搬箱１からの情報収集と運搬箱１に対する冷熱処理とを行うことができる。すなわち、運搬箱１からの情報収集のための時間を特別に設ける必要がなく、運搬箱１の効率的な運用が実現できる。
【００４４】
上述した実施の形態では、運搬箱１の情報管理部１０に圧縮機や大容量のバッテリーや無線送信装置などを設けていないので、運搬箱１の構成が簡易なものとなって運搬機能を向上させることができる。一方、運搬箱１から運搬箱履歴情報１５などを収集する場合、運搬箱１自体が有する運搬箱識別情報１４を用いて収集するのではなく、通信線Ｌ１の通信接続部Ｃ１１に固有の通信アドレスを設定しておき、この通信接続部Ｃ１１に接続された運搬箱１に対する通信を、この固有の通信アドレスを用いて行うようにしているので、多数の運搬箱１が存在する場合であっても、容易かつ迅速に運搬箱識別情報１４を収集することができる。
【符号の説明】
【００４５】
１  運搬箱
１０  情報管理部
１１  通信処理部
１２，３２  制御部
１３，３３  記憶部
１４  運搬箱識別情報
１５  運搬箱履歴情報
１６  バッテリー
１７  表示部
２０  運搬部
２１  冷熱器
２２  蓄冷熱材
２３  保冷熱空間
２４  開閉扉
２５  温度センサ
２６  冷熱器弁
２７  開閉センサ
２８  キャスター
３０  情報収集装置
３１  通信部
３４  位置情報
３５  接続情報
３６  稼働情報
４０  冷熱機
４１  冷熱コントローラ
４２  冷熱回路
５１  断熱材
５２  真空断熱材
５３  金属板
６０  折り返し部
１０１  商品
１１０  配送センター
１１１，１１２  トラック
１２０  店舗
１３０  上位情報管理装置
Ｃ１，Ｃ１１，Ｃ１２  通信接続部
Ｃ２  冷熱媒体接続部
Ｃ３  接続部
Ｌ１  通信線
Ｌ２  冷熱配管
Ｎ  ネットワーク
【図１】
2015151200.tif 000003
【図２】
2015151200.tif 000004
【図３】
2015151200.tif 000005
【図４】
2015151200.tif 000006
【図５】
2015151200.tif 000007
【図６】
2015151200.tif 000008
【図７】
2015151200.tif 000009
【図８】
2015151200.tif 000010